(57)【要約】【課題】表示画面の任意の位置での光学系の自動制御機能の操作を、タッチパネルでのみ行った場合には使用者にとって扱いにくい可能性があり、またタッチパネルは外的要因で傷つけてしまいその機能を損ないやすく、その結果としてシステム全体に不具合をきたす可能性が高いという問題があった。【解決手段】表示画面の任意の位置を中心とした領域におけるオートフォーカス、自動露出機能の操作を、使用者の好みに応じて操作キー群１９およびタッチパネル付きＬＣＤ１６のどちらでも行うことができる。これにより、操作性の向上を図ることができる。【選択図】　　　図１
2004048526.tif 000002
【特許請求の範囲】
【請求項１】
撮影された映像信号から任意の１フィールドまたは１フレームの信号を抽出して記録するデジタルカメラ装置において、
前記撮影時に使用する同一の機能を操作可能とする複数の操作キーからなる操作キー群およびタッチパネルを有し、
前記操作キー群または前記タッチパネルを用いた操作として、オートフォーカスのフォーカスエリアの指示を行うとともにフォーカス調整を行うことを特徴とするデジタルカメラ装置。
【請求項２】
オートフォーカスのフォーカスエリアは、前記キー群または前記タッチパネルによって指定された点を中心とした部分領域であり、フォーカス調整は、前記部分領域に対応した映像信号の高域成分に基づく合焦評価値が最大となるようにフォーカスレンズを駆動して行うことを特徴とした請求項１記載のデジタルカメラ装置。
【請求項３】
撮影された映像信号から任意の１フィールドまたは１フレームの信号を抽出して記録するデジタルカメラ装置において、
前記撮影時に使用する同一の機能を操作可能とする複数の操作キーからなる操作キー群およびタッチパネルを有し、
前記操作キー群または前記タッチパネルを用いた操作として、自動露出の測光エリアの指示を行うとともに露出調整を行うことを特徴とするデジタルカメラ装置。
【請求項４】
測光エリアは、前記キー群または前記タッチパネルによって指定された点を中心とした部分領域であり、露出調整は、前記部分領域に対応した映像信号の平均輝度レベルを測定し、前記平均輝度レベルが所定の範囲に収まるように絞りおよびシャッター速度を調整して行うことを特徴とした請求項３記載のデジタルカメラ装置。
【発明の詳細な説明】
【０００１】
【発明の属する技術分野】
この発明は、同一機能の制御を操作可能とする操作キーおよびまたはタッチパネルを備えて操作性を向上させたデジタルカメラ装置に関する。
【０００２】
【従来の技術】
一般にデジタルカメラではオートフォーカスのフォーカスエリア、自動露出の測光エリアは画面中央部に固定されている。特開平６−７０２０６号公報に開示されたタッチパネルを用いた電子スチルカメラ装置は、画面表示用の液晶ディスプレイの前面に設けられたタッチパネルを用いることで、画面中央部以外にオートフォーカスのフォーカスエリア、自動露出の測光エリアを設定することができる。
【０００３】
しかしながら、前記公報では画面中央部以外にオートフォーカスのフォーカスエリア、自動露出の測光エリアを設定するための操作手段としてタッチパネルのみを想定しており、この場合はタッチパネルによる操作が個々の使用者にとって直感的に想像される操作あるいは好ましい操作とは限らず、使用者にとって扱いにくい可能性があった。
【０００４】
また、携帯型のこの種の装置では、特にタッチパネルは外的要因で傷つけてしまいその機能を損なう可能性が高いもので、タッチパネルが不良になることにともないシステム全体に不具合を来たす、という問題があった。
【０００５】
【発明が解決しようとする課題】
上記したように、従来のデジタルカメラ装置では、光学系の自動制御機能の操作をタッチパネルのみので行っていたことから、使用者によっては必ずしも使い勝手のよいものではないばかりか、タッチパネルは外的な要因で傷つきやすく、システム全体が不具合となる可能性が高いという、問題があった。
【０００６】
この発明の目的は、表示画面の任意の位置での光学系の自動制御機能の操作を可能としつつ操作性の向上を図ったデジタルカメラ装置を提供することにある。
【０００７】
【課題を解決するための手段】
上記した課題を解決するために、この発明のデジタルカメラ装置では、撮影された映像信号から任意の１フィールドまたは１フレームの信号を抽出して記録するものにあって、前記撮影時に使用する同一の機能を操作可能とする複数の操作キーからなる操作キー群およびタッチパネルを有し、前記操作キー群または前記タッチパネルを用いた操作として、オートフォーカスのフォーカスエリアの指示を行うとともにフォーカス調整を行うことを特徴とする。
【０００８】
また、撮影された映像信号から任意の１フィールドまたは１フレームの信号を抽出して記録するものにあって、前記撮影時に使用する同一の機能を操作可能とする複数の操作キーからなる操作キー群およびタッチパネルを有し、前記操作キー群または前記タッチパネルを用いた操作として、自動露出の測光エリアの指示を行うとともに露出調整を行うことを特徴とする。
【０００９】
【発明の実施の形態】
以下、この発明の実施の形態について、図面を参照しながら詳細に説明する。図１は、この発明のデジタルカメラ装置の一実施の形態について説明するための回路構成図である。
図１において、ズームレンズ、フォーカスレンズ、絞りなどからなるレンズ系１１を介してＣＣＤ（電荷結合素子）１２の受光面に結像された被写体像は、このＣＣＤ１２で光電変換を行って画像信号として順次読み出され信号処理部１３に供給される。信号処理部１３でノイズ低減やゲイン調整などの信号処理された画像信号は、Ａ／Ｄ変換部１４でデジタル信号に変換され、デジタル信号処理装置１５に入力される。
【００１０】
デジタル信号処理装置１５は、入力されたデジタル信号を処理して画像データを生成する他に、タッチパネル付きＬＣＤ（液晶表示部）１６への映像信号の供給を行ったり、記録装置１７への画像データの入力、レンズ系１１、ＣＣＤ１２、信号処理部１３、メモリ１８など周辺ブロックの制御を行う。さらに、デジタル信号処理装置１５は、タッチパネル付きＬＣＤ１６と十字キーを含む複数の操作キーからなる操作キー群１９からの命令に基づいた制御を行う。
【００１１】
図２は、図１のタッチパネル付きＬＣＤ１６、操作キー群１９などが配置されたこの発明におけるデジタルカメラ装置の背面パネルの構成例について説明する説明図である。
【００１２】
すなわち、背面パネル２００は、上下左右のキー２１ａ〜２１ｄと中央のエンターキー２１ｅからなる十字キー２１、撮影・再生モード切換キー２２、タッチパネル付きＬＣＤ２３と、その近傍に配置されたＯＳＤ（Ｏｎ　Ｓｃｒｅｅｎ　Ｄｉｓｐｌａｙ）表示の切り換え、メニュー呼び出し、画像の消去モード呼び出しに使用するＯＳＤキー２４、メニューキー２５、ごみ箱キー２６、そしてＡＥ（自動露出）、ＡＦ（オートフォーカス）の各モードに入るためのＡＥモードキー２７、ＡＦモードキー２８を配置する。
【００１３】
図３は、オートフォーカス、自動露出の各モードに入るときのモード判定ルーチンについて説明するためのフローチャートであり、図２とともに説明する。
モード判定サブルーチンは、一定時間毎にメインプログラムによって起動され、まず、タッチパネル付きＬＣＤ２３上にＯＳＤで表示されるＡＦ（オートフォーカス）３１、ＡＥ（自動露出）３２のいずれかのアイコン上へのタッチパネル入力の有無を判定する（Ｓ３１）。入力があった場合には、ステップＳ３２で入力のあったアイコンに対応したモードのフラグがＯＮ状態かどうかを判定する。ＯＮ状態の場合には、ステップＳ３５で入力のあったアイコンに対応したモードのフラグをＯＦＦに設定する。ＯＦＦ状態の場合には、ステップＳ３６で入力のあったアイコンに対応したモードのフラグをＯＮに設定し、それ以外のモードのフラグをＯＦＦに設定する。
【００１４】
ステップＳ３１において、タッチパネル付きＬＣＤ２３の入力が無かった場合には、ステップＳ３３で各モードキーの入力の変化の有無を判定する。変化があった場合には入力変化がキーのＯＮからＯＦＦへの変化か否かをステップＳ３４で判定し、この結果に基づいてタッチパネル付きＬＣＤ２３と同様にステップＳ３５またはＳ３６で各モードのフラグを変更する。
【００１５】
以上のように、タッチパネル付きＬＣＤ２３またはモードキーへの入力によってオートフォーカス、自動露出の各モードのフラグを変更した後、フラグ状態に応じてステップＳ３７，Ｓ３８でＯＮ状態のフラグに対応したモードに入る。
【００１６】
図４は、タッチパネル付きＬＣＤ２３のＯＳＤで表示されるアイコンＡＦ３１またはＡＦキー２８によってオートフォーカスモードに入った、図３のステップＳ３７以降のオートフォーカスモードサブルーチンについて説明するためのフローチャートで、図５はタッチパネル付きＬＣＤ２３に表示される表示画面例について説明するための説明図である。
【００１７】
十字キー２１を使用する場合は、ステップＳ４０１，Ｓ４０２，Ｓ４０４において、オートフォーカスでフォーカスしたい図５（ａ）に示す被写体５１の中心に十字カーソル５２を移動させ、エンターキー２１ｅを操作することで、被写体５１の中心に合焦エリア中心を設定する。
【００１８】
また、タッチパネル付きＬＣＤ２３を使用する場合には、ステップＳ４０３，Ｓ４０５において、オートフォーカスでフォーカスしたい図５（ｂ）に示す被写体５１の中心部５３に触れることで、触れた点を合焦エリア中心として設定する。
【００１９】
次に、ステップＳ４０６において合焦エリア中心を基準として図５（ｃ）に破線枠で示される正方形の合焦エリア５４を設定し、ステップＳ４０７で合焦エリア５４が画像からはみ出すような位置に設定されているか否かを判定する。
【００２０】
ここで、合焦エリア５４が画像からはみ出し、不適と判断した場合には画像からはみ出さないように合焦エリアの大きさを変更し、再設定する。合焦エリアが適切に設定できた場合にはステップＳ４０８で合焦エリアに対応した映像信号の高域成分に基づいた合焦評価値を計算する。
【００２１】
ステップＳ４０９ではフォーカスレンズの駆動回数がオートフォーカス動作開始時点から数えて２回以下の場合には無条件でステップＳ４１０に進む。３回以上の場合は、前回と今回の合焦評価値の差の絶対値が一定値以下か否かを判定し、一定値以下の場合には合焦成功と判定して終了する。ステップＳ４１０では、フォーカスレンズが駆動可能な範囲を全部網羅したか否かを判定し、駆動可能範囲を全て移動しても合焦状態に至らない場合には合焦失敗と判定して終了する。
【００２２】
次に、ステップＳ４１１では、フォーカスレンズの駆動回数がオートフォーカス開始時点から数えて一回の場合には所定の方向に所定の移動量分だけ駆動し、２回以上の場合には前回の合焦評価値と今回の合焦評価値の差の正負に基づき、合焦評価値が大きくなる方向に移動方向を決定し、所定の移動量分だけ駆動させる。
【００２３】
以上のようにステップＳ４０８、Ｓ４０９、Ｓ４１０、Ｓ４１１を繰り返すことで、指定された点を中心とした部分領域に対応した映像信号の高域成分に基づく合焦評価値が最大になるようにフォーカスレンズを駆動するいわゆる山登り法に基づいたフォーカス調整を行うことができる。
【００２４】
図６は、タッチパネル付きＬＣＤ２３のＯＳＤで表示されるアイコンＡＥ３２または自動露出モードキー２７によって自動露出モードに入った、図３のステップＳ３８以降の自動露出モードサブルーチンについて説明するためのフローチャートで、図７はタッチパネル付きＬＣＤ２３に表示される表示画面例について説明するための説明図である。
【００２５】
十字キー２１を使用する場合は、ステップＳ６０１，Ｓ６０２，Ｓ６０４において、自動露出機能で露出を合わせたい図７（ａ）に示す被写体７１の中心に十字カーソル５２を移動させ、エンターキー２１ｅを操作することで、被写体７１の中心に測光エリア中心を設定する。
【００２６】
また、タッチパネル付きＬＣＤ２３を使用する場合には、ステップＳ６０３，Ｓ６０５において、自動露出機能で露出を合わせたい図７（ｂ）に示す被写体７１の中心部７２に触れることで、触れた点を測光エリア中心として設定する。
【００２７】
次にステップＳ６０６において測光エリア中心を基準として図７（ｃ）に破線枠で示される正方形の測光エリア７３を設定し、ステップＳ６０７で測光エリア７３が画像からはみ出すような位置に設定されているか否かを判定する。
【００２８】
ここで測光エリア７３が画像からはみ出し、不適と判断した場合には画像からはみ出さないように測光エリアの大きさを変更し、再設定する。測光エリアが適切に設定できた場合にはステップＳ６０８で測光エリアに対応した映像信号の平均輝度レベルを計算する。
【００２９】
ステップＳ６０９では平均輝度レベルが所定の範囲に収まっているか否かを判定し、収まっている場合には自動露出成功と判定して終了する。ステップＳ６１０では、平均輝度レベルが所定の範囲に収まるように絞りとシャッター速度を変更させることができるか否かを判定し、変更することができない場合には自動露出失敗と判定して終了する。次にステップＳ６１１では平均輝度レベルが所定の範囲に収まるように絞りとシャッター速度を変更する。
【００３０】
以上のようにステップＳ６０８、Ｓ６０９、Ｓ６１０、Ｓ６１１を繰り返すことで測光エリアの平均輝度レベルが所定の範囲に収まるように露出調整を自動で行うことができる。
【００３１】
この実施の形態では、画面上の任意の位置を中心とした領域でオートフォーカス、自動露出機能を、使用者の好みに応じて操作キー群およびタッチパネル付きＬＣＤのどちらでも操作できることから操作性の向上を図ることができる。
【００３２】
【発明の効果】
以上説明したように、この発明のデジタルカメラ装置によれば、複数のキーからなる操作キーあるいはタッチパネルの何れの操作も可能としたことで操作性の向上を図ることができる。
【図面の簡単な説明】
【図１】この発明の一実施の形態について説明するためのブロック図。
【図２】この発明のデジタルカメラの背面パネルについて説明するための説明図。
【図３】この発明の一実施の形態におけるＡＥ，ＡＦ各モード判定サブルーチンについて説明するためのフローチャート。
【図４】図３のオートフォーカスモードサブルーチンについて説明するためのフローチャート。
【図５】図４におけるタッチパネル付きＬＣＤの表示画面例について説明するための説明図。
【図６】図３の自動露出モードサブルーチンについて説明するためのフローチャート。
【図７】図６におけるタッチパネル付きＬＣＤの表示画面例について説明するための説明図。
【符号の説明】
１１・・・レンズ系
１２・・・ＣＣＤ
１３・・・信号処理部
１４・・・Ａ／Ｄ変換器
１５・・・デジタル信号処理装置
１６，２３・・・タッチパネル付きＬＣＤ
１９・・・操作キー群
２７・・・ＡＥモードキー
２８・・・ＡＦモードキー
３１・・・アイコンＡＦ
３２・・・アイコンＡＥ
【図１】
2004048526.tif 000003
【図２】
2004048526.tif 000004
【図３】
2004048526.tif 000005
【図４】
2004048526.tif 000006
【図５】
2004048526.tif 000007
【図６】
2004048526.tif 000008
【図７】
2004048526.tif 000009